(57)【特許請求の範囲】
【請求項１】
印字部およびこの印字部に対して用紙を供給するための給紙口を有するプリンタ本体と、このプリンタ本体に設けられた連続紙供給用のトラクタと、前記プリンタ本体に対して着脱可能に取り付けられ、前記給紙口に用紙を手差しにて供給するための手差しガイドとを備え、かつ、この手差しガイドを取り外して、代わりに前記プリンタ本体に対して自動給紙装置を装着することのできるプリンタであって、
前記手差しガイドは、これをプリンタ本体に対し傾斜させた状態で装着して給紙ガイドとなす、プリンタ本体に対する第１の係合部と、前記自動給紙装置を装着して取り外された際に自動給紙装置に装着して、自動給紙装置に装着された状態で、自動給紙装置から供給されて印字された後に排出される用紙を、前記プリンタ本体に設けられている排紙スタッカとともに支持する排紙トレイとなす、自動給紙装置に対する第２の係合部とを備え、さらに前記プリンタ本体に対してプリンタ本体上に倒された状態で装着されたとき、前記トラクタにより供給され前記印字部で印字された後に排出される連続紙を案内する案内部を備えていることを特徴とするプリンタ。
【請求項２】
前記手差しガイドは、この手差しガイドに案内させて用紙を前記給紙口に向けて移動させた際、その用紙の先端が前記給紙口に進入する角度で前記自動給紙装置に装着されることを特徴とする請求項１記載のプリンタ。
【発明の詳細な説明】
【０００１】
【産業上の利用分野】
本発明は、用紙の手差しガイドを取り外して、代わりに自動給紙装置を装着することができるプリンタに関する。
【０００２】
特に、取り外した手差しガイドの紛失を防止すると同時にプリンタ本体が大型化するのを防止することができるプリンタに関するものである。
【０００３】
【従来の技術】
従来より、用紙の手差しガイドを取り外して、代わりにオプション品である自動給紙装置を装着することができるようにしたプリンタが広く知られている。
【０００４】
【発明が解決しようとする課題】
上述した形式のプリンタでは、自動給紙装置を装着した際に、取り外した手差しガイドを紛失してしまうことがあるという問題があった。
【０００５】
このような問題を解決するには、手差しガイドを装着した状態のままで自動給紙装置を装着することができるようにすることも考えられるが、そうすると、プリンタ本体には、自動給紙装置の他に手差しガイドをも取り付けるためのスペースが必要となり、結果としてプリンタ本体が大型化してしまうという問題が生じる。
【０００６】
本発明の目的は、以上のような問題点を解決し、取り外した手差しガイドの紛失を防止すると同時にプリンタ本体が大型化するのを防止することができるプリンタを提供することにある。
【０００７】
【課題を解決するための手段】
上記目的を達成するために請求項１記載のプリンタは、印字部およびこの印字部に対して用紙を供給するための給紙口を有するプリンタ本体と、このプリンタ本体に設けられた連続紙供給用のトラクタと、前記プリンタ本体に対して着脱可能に取り付けられ、前記給紙口に用紙を手差しにて供給するための手差しガイドとを備え、かつ、この手差しガイドを取り外して、代わりに前記プリンタ本体に対して自動給紙装置を装着することのできるプリンタであって、
前記手差しガイドは、これをプリンタ本体に対し傾斜させた状態で装着して給紙ガイドとなす、プリンタ本体に対する第１の係合部と、前記自動給紙装置を装着して取り外された際に自動給紙装置に装着して、自動給紙装置に装着された状態で、自動給紙装置から供給されて印字された後に排出される用紙を、前記プリンタ本体に設けられている排紙スタッカとともに支持する排紙トレイとなす、自動給紙装置に対する第２の係合部とを備え、さらに前記プリンタ本体に対してプリンタ本体上に倒された状態で装着されたとき、前記トラクタにより供給され前記印字部で印字された後に排出される連続紙を案内する案内部を備えていることを特徴とする。
【０００９】
請求項２記載のプリンタは、請求項１記載のプリンタにおいて、前記手差しガイドは、この手差しガイドに案内させて用紙を前記給紙口に向けて移動させた際、その用紙の先端が前記給紙口に進入する角度で前記自動給紙装置に装着されることを特徴とする。
【００１０】
【作用】
請求項１記載のプリンタによれば、プリンタ本体に対して傾斜させた状態で手差しガイドを第１の係合部で装着した場合には、この手差しガイドから用紙を給紙口に供給して印字部にて印字することができる。また、この手差しガイドを取り外し、代わりにプリンタ本体に対して自動給紙装置を装着した場合には、自動給紙装置から用紙が自動的に供給され、印字部にて印字が行なわれる。
【００１１】
そして、自動給紙装置を装着した際には、取り外した手差しガイドを第２の係合部により自動給紙装置に装着することができるので、手差しガイドを紛失してしまうということがなくなる。
【００１２】
また、このプリンタによれば、手差しガイドが、プリンタ本体にではなく、自動給紙装置に装着されるようになっているから、プリンタ本体に、手差しガイドを装着するためのスペースを設ける必要がなく、したがってプリンタ本体が大型化してしまうということもない。
【００１３】
さらに、前記自動給紙装置に第２の係合部で装着された手差しガイドが、自動給紙装置から供給されて印字された後に排出される用紙を、前記プリンタ本体に設けられている排紙スタッカとともに支持する排紙トレイをなすから、手差しガイドを有効に利用することができ、プリンタ本体あるいは自動給紙装置に別途排紙トレイを設ける必要がなくなる。
さらにまた、前記手差しガイドは、前記プリンタ本体に対してプリンタ本体上に倒された状態で装着されたときには、その案内部で、トラクタにより供給され前記印字部で印字された後に排出される連続紙を案内するから、手差しガイドをさらに有効に利用することができ、プリンタ本体に別途連続紙用の排紙ガイドを設ける必要もなくなる。
以上のように、この請求項１記載のプリンタによれば、手差しガイドを紛失してしまうということがなくなると同時に、プリンタ本体が大型化してしまうということもなくなり、しかも手差しガイドを有効に利用することができて、プリンタ本体あるいは自動給紙装置に別途排紙トレイを設けたり、プリンタ本体に別途連続紙用の排紙ガイドを設けたりする必要もなくなる。
【００１４】
請求項２記載のプリンタによれば、請求項１記載のプリンタにおいて、前記手差しガイドは、この手差しガイドに案内させて用紙を前記給紙口に向けて移動させた際、その用紙の先端が前記給紙口に進入する角度で前記自動給紙装置に装着されるから、自動給紙装置により供給される用紙とは異なる用紙（例えばサイズの異なる用紙）をプリンタ本体に供給したい場合には、この手差しガイドを用いて供給することができる。
【００１５】
【実施例】
以下、本発明の一実施例について図面を参照して説明する。
【００１６】
図１から図６はそれぞれ本発明に係るプリンタの一実施例を示す図で、図１はプリンタ本体に手差しガイドを取り付けた状態を示す側断面図、図２、図３はそれぞれプリンタ本体に自動給紙装置を装着した状態を示す側断面図、図４は連続紙の使用状態を示す側断面図、図５は図４の平面図、図６は図５におけるＶＩ−ＶＩ断面図である。
【００１７】
これらの図において、１０はプリンタ本体、２０は手差しガイド、３０は自動給紙装置である。
【００１８】
図１に示すように、プリンタ本体１０は、印字部Ａと、この印字部Ａに対して用紙Ｐを供給するための給紙口Ｂとを有している。
【００１９】
印字部Ａは、用紙Ｐが巻き回されるプラテン１１と、このプラテンに対向して配置された印字ヘッド１２とで構成されている。
【００２０】
給紙口Ｂは、ケース１３の背面に形成されている。
【００２１】
この給紙口Ｂに供給された用紙Ｐは、プラテン１１と紙ガイド１４とで形成された給紙経路を経て印字部Ａに送られ、印字ヘッド１２により印字された後、排紙ローラ１５ａ，１５ｂで搬送され、カバー１３ｃの後端縁１３ｄとケース１３の背面上端縁１３ａとの間に形成された排紙口Ｃから排出される。
【００２２】
手差しガイド２０は、図５、図６に示すように、ガイド板２１と、このガイド板２１に対してスライド可能に装着された一対のエッジガイド２２，２２とからなっている。
【００２３】
ガイド板２１は、天板２１ａと、側板２１ｂ，２１ｂとを有しており、これら側板２１ｂに形成されたほぼＶ字形の溝２１ｃに、ケース後部上端内側に突設されたピン１３ｅを係合させることにより、手差しガイド２０が本体１０に対して着脱可能に取り付けられている。なお、２１ｄは溝２１ｃの開放口であり、この開放口２１ｄからピン１３ｅを出し入れすることにより手差しガイド２０を本体１０に対して着脱することができる。
【００２４】
ピン１３ｅと溝２１ｃとは相対的にスライド可能であり、したがって手差しガイド２０はピン１３ｅと溝２１ｃとが係合する範囲内において本体１０に対してスライド可能であるとともに、ピン１３ｅを軸として回動可能になっている。
【００２５】
この手差しガイド２０は、図１に示すように、これを給紙ガイドとして用いるときは、本体１０に対して傾斜させた状態として使用する。すなわち、手差しガイド２０は、プリンタ本体１０に対して傾斜させた状態で装着されたときには給紙ガイドを構成する。この状態では手差しガイド体２０の先端部が、排紙スタッカ１３ｆの後面両端にのみ設けられたリブ状の突起部１３ｒと当接することによりその回動が規制される。
したがって、プリンタ本体に対する第１の係合部は、上記溝２１ｃとガイド体２０の先端部とで構成されている。
【００２６】
エッジガイド２２は、図５、図６に示すように、底板２２ａと、この底板２２ａの底面先端部に設けられたフック部２２ｂと、底面後端部に設けられたクリップ部２２ｃと、側板２２ｄと、天板２２ｅとからなっており、前記フック部２２ｂがガイド板２１の前縁と係合し、クリップ部２２ｃがガイド板２１の後部を弾性的に挟持していることによって、ガイド板２１に対してスライド可能に取り付けられている。用紙を供給する際には、側板２２ｄは、供給される用紙の側縁を案内し、天板２２ｅは用紙の上面を案内する。また、側板２２ｄおよび天板２２ｅの上面は、排出される用紙の下面を案内するようになっている。
【００２７】
図２および図５において、２３，２３は、手差しガイドのガイド板２１に一体的に設けられた弾性爪であり、手差しガイド２０を本体１０から取り外した際、この弾性爪２３，２３を自動給紙装置３０の側面に形成された凹部３１，３１に係合させることにより、手差しガイド２０が自動給紙装置３０に装着されるようになっている。
したがって、自動給紙装置３０に対する第２の係合部は、上記弾性爪２３，２３で構成されている。
【００２８】
図１において、４０は連続紙Ｐ１を供給するためのトラクタである。
【００２９】
次に、以上のようなプリンタの使用態様およびその作用について説明する。
【００３０】
＜手差し態様＞
図１に示すように、プリンタ本体１０に対して手差しガイド２０を傾斜させた状態で装着した場合には、この手差しガイド２０から用紙Ｐを給紙口Ｂに供給して印字部Ａにて印字することができる。印字された用紙は、排紙ローラ１５ａ，１５ｂで搬送され、排紙口Ｃから排出される。排出された用紙Ｐ２は、その裏面がエッジガイド２２の天板２２ｅで支持され、下端Ｐ２ａは、ケース１３の背部上方に形成されたスタッカ１３ｆによって支持される。
【００３１】
＜自動給紙態様＞
図２に示すように、手差しガイドを２０をプリンタ本体１０から取り外し、代わりにプリンタ本体１０に対して自動給紙装置３０を装着した場合には、自動給紙装置３０から用紙Ｐが自動的に供給され、印字部Ａにて印字が行なわれる。
【００３２】
自動給紙装置３０は、その嵌合用爪部３９を、プラテン等を支持しているサイドフレームの内側に突設された突起部１９に係合させることにより、本体１０に装着される。
【００３３】
自動給紙装置３０を装着した際には、本体１０から取り外した手差しガイド２０を自動給紙装置３０に装着することができるので、手差しガイド２０を紛失してしまうということがなくなる。
【００３４】
手差しガイド２０は、プリンタ本体１０にではなく、自動給紙装置３０に装着されるようになっているから、プリンタ本体１０に、手差しガイド２０を装着するためのスペースを設ける必要がなく、したがってプリンタ本体１０が大型化してしまうということもない。
【００３５】
図２に示すように、自動給紙装置３０に装着された手差しガイド２０は、自動給紙装置３０から供給されて印字された後に排出される用紙Ｐ２をプリンタ本体１０に設けられている前記排紙スタッカ１３ｆ（符号については図１参照）とともに支持する排紙トレイを構成する。すなわち、図２に明示されるように、排出された用紙Ｐ２は、その裏面が手差しガイド２０で支持され、下端Ｐ２ａは、ケース１３の背部上方に形成されたスタッカ１３ｆによって支持される。このように、手差しガイド２０を有効に利用することができ、プリンタ本体１０あるいは自動給紙装置３０に別途排紙トレイを設ける必要がない。
【００３６】
なお、図２において、２５は用紙を支持する支持棒であり、手差しガイド２０に挿入されて取り付けられる。
【００３７】
図３に示すように、手差しガイド２０は、この手差しガイド２０に案内させて用紙を給紙口Ｂに向けて移動させた際、その用紙の先端が給紙口Ｂに進入する角度で自動給紙装置３０に装着されている。
【００３８】
したがって、自動給紙装置３０により供給される用紙とは異なる用紙（例えばサイズの異なる用紙）をプリンタ本体１０に供給したい場合には、この手差しガイド２０を用いて供給することができる。
【００３９】
＜連続紙態様＞
図４に示すように、手差しガイド２０をプリンタ本体１０に対してプリンタ本体１０上に倒した状態で装着し、連続紙Ｐ１に印字させることができる。
【００４０】
この状態において、手差しガイド２０は、その溝２１ｃが本体ケースのピン１３ｅと係合し、かつ、側板２１ｂから側方に突設された突片２１ｅが本体ケース１３の上面と当接することによって本体１０上に載置されており（図５参照）、排紙口ｃから排出される連続紙Ｐ１を案内するようになっている。
図４または図５に示すように、手差しガイド２０の上面が、排出される連続紙Ｐ１を案内する案内部を構成している。
このように、手差しガイド２０をさらに有効に利用することができ、プリンタ本体１０に別途連続紙用の排紙ガイドを設ける必要もなくなる。
【００４１】
以上、本発明の一実施例について説明したが、本発明は上記実施例に限定されるものではなく、本発明の要旨の範囲内において適宜変形実施可能である。
【００４２】
【発明の効果】
本発明のプリンタによれば、取り外した手差しガイドの紛失を防止すると同時にプリンタ本体が大型化するのを防止することができる。
さらに、手差しガイドを有効に利用することができて、プリンタ本体あるいは自動給紙装置に別途排紙トレイを設けたり、プリンタ本体に別途連続紙Ｐ１用の排紙ガイドを設けたりする必要もなくなる。
【００４３】
【図面の簡単な説明】
【図１】本発明に係るプリンタの一実施例を示す図で、プリンタ本体に手差しガイドを取り付けた状態を示す側断面図。
【図２】同じく、プリンタ本体に自動給紙装置を装着した状態を示す側断面図。
【図３】同じく、プリンタ本体に自動給紙装置を装着した状態を示す側断面図。
【図４】同じく、連続紙の使用状態を示す側断面図。
【図５】図４の平面図。
【図６】図６は図５におけるＶＩ−ＶＩ断面図である。
【符号の説明】
Ａ    印字部
Ｂ    給紙口
Ｃ    排紙口
１０    プリンタ本体
２０    手差しガイド
３０    自動給紙装置
【図１】
0003574169.tif 000002
【図２】
0003574169.tif 000003
【図３】
0003574169.tif 000004
【図４】
0003574169.tif 000005
【図５】
0003574169.tif 000006
【図６】
0003574169.tif 000007